(57)【要約】【課題】或るコンテンツに対して一度の編集操作を行うだけで、喩え将来入力予定のコンテンツであっても同一グループに属するコンテンツに対し同じ編集処理を実行することが可能なコンテンツ編集装置を提供する。【解決手段】コンテンツ編集手段１５での編集対象のコンテンツに対して、コンテンツグループを判別するグループ判別手段１２と、コンテンツを編集に用いるテンプレートを、コンテンツグループ毎に蓄積するテンプレート蓄積手段１４と、編集対象のコンテンツに、グループ判別手段１２で判別したコンテンツグループに対してテンプレート蓄積手段１４で蓄積されたテンプレートを反映させて、再生や記録を行わせるテンプレート反映手段１３とを備える。【選択図】図１
2007149235.tif 000002
【特許請求の範囲】
【請求項１】
コンテンツを編集するコンテンツ編集手段を備えたコンテンツ編集装置において、前記コンテンツ編集手段での編集対象のコンテンツに対して、コンテンツグループを判別するグループ判別手段と、コンテンツを編集に用いるテンプレートを、前記コンテンツグループ毎に蓄積するテンプレート蓄積手段と、前記編集対象のコンテンツに、前記グループ判別手段で判別したコンテンツグループに対して前記テンプレート蓄積手段で蓄積されたテンプレートを反映させるテンプレート反映手段とを備えたことを特徴とするコンテンツ編集装置。
【請求項２】
前記テンプレート蓄積手段に蓄積するためのテンプレートを生成するテンプレート生成手段を備えたことを特徴とする請求項１に記載のコンテンツ編集装置。
【請求項３】
前記テンプレート生成手段は、前記コンテンツ編集手段で前記編集対象のコンテンツを編集するに際し、該編集の内容を表すテンプレートを、前記編集対象のコンテンツが属するコンテンツグループに対するテンプレートとして生成することを特徴とする請求項２に記載のコンテンツ編集装置。
【請求項４】
前記テンプレート生成手段は、前記グループ判別手段での判別の結果、属するコンテンツグループが存在しない場合に、新たなコンテンツグループに対するテンプレートを生成する手段を有することを特徴とする請求項２又は３に記載のコンテンツ編集装置。
【請求項５】
前記テンプレートは、マークアップ言語で記述されたデータであることを特徴とする請求項１乃至４のいずれか１項に記載のコンテンツ編集装置。
【請求項６】
前記テンプレート反映手段は、前記編集対象のコンテンツに対し、コンテンツグループを指定するグループ指定手段を有し、該グループ指定手段で指定したコンテンツグループに対して前記反映を実行することを特徴とする請求項１乃至５のいずれか１項に記載のコンテンツ編集装置。
【請求項７】
前記コンテンツ編集手段での編集対象ともなるコンテンツを蓄積するコンテンツ蓄積手段と、該コンテンツ蓄積手段にコンテンツを記録するコンテンツ記録手段とを備えたことを特徴とする請求項１乃至６のいずれか１項に記載のコンテンツ編集装置。
【請求項８】
前記コンテンツ記録手段は、放送コンテンツを記録対象のコンテンツとして予約して、前記コンテンツ蓄積手段に記録する予約記録手段を有し、前記グループ判別手段は、コンテンツグループの判別を、予約録画情報に基づいて実行することを特徴とする請求項７に記載のコンテンツ編集装置。
【請求項９】
前記テンプレート反映手段は、前記コンテンツ記録手段でのコンテンツの記録時に、前記テンプレート蓄積手段から、記録対象となるコンテンツのコンテンツグループに対するテンプレートを読み出し、該テンプレートを反映させたコンテンツを、前記コンテンツ蓄積手段に記録させる記録反映手段を有することを特徴とする請求項７又は８に記載のコンテンツ編集装置。
【請求項１０】
コンテンツを再生するコンテンツ再生手段を備え、該コンテンツ再生手段は、前記コンテンツ編集手段で編集する際に、前記編集対象のコンテンツの再生も行うことを特徴とする請求項１乃至９のいずれか１項に記載のコンテンツ編集装置。
【請求項１１】
前記テンプレート反映手段は、前記コンテンツ再生手段でのコンテンツの再生時に、前記テンプレート蓄積手段から、再生対象となるコンテンツのコンテンツグループに対するテンプレートを読み出し、該テンプレートを反映させたコンテンツを再生させる再生反映手段を有することを特徴とする請求項１０に記載のコンテンツ編集装置。
【請求項１２】
前記コンテンツ編集手段は、前記編集対象のコンテンツに対し、サムネイル設定、チャプタ設定、カット設定のうち、いずれか１又は複数の設定を行う手段を有することを特徴とする請求項１乃至１１のいずれか１項に記載のコンテンツ編集装置。
【請求項１３】
前記テンプレート蓄積手段に蓄積するテンプレートを外部から入力するテンプレート外部入力手段を備えたことを特徴とする請求項１乃至１２のいずれか１項に記載のコンテンツ編集装置。
【請求項１４】
前記コンテンツグループは、連続する一連のコンテンツでなるグループ、又はコンテンツ内が同じタイムスケジュールで構成されるコンテンツでなるグループであることを特徴とする請求項１乃至１３のいずれか１項に記載のコンテンツ編集装置。
【請求項１５】
請求項１乃至１４のいずれか１項に記載のコンテンツ編集装置に組み込み、該コンテンツ編集装置の演算処理装置を、前記コンテンツ編集手段、前記グループ判別手段、及び前記テンプレート反映手段として機能させるためのプログラム。
【請求項１６】
請求項２乃至４のいずれか１項に記載のコンテンツ編集装置に組み込み、該コンテンツ編集装置の演算処理装置を、前記コンテンツ編集手段、前記グループ判別手段、及び前記テンプレート反映手段、及び前記テンプレート生成手段として機能させるためのプログラム。
【請求項１７】
前記テンプレートは、マークアップ言語で記述されたデータであることを特徴とする請求項１６に記載のプログラム。
【請求項１８】
請求項１５乃至１７のいずれか１項に記載のプログラムを記録したコンピュータ読み取り可能な記録媒体。
【発明の詳細な説明】
【技術分野】
【０００１】
本発明は、コンテンツ編集装置、プログラム、及び記録媒体に関する。
【背景技術】
【０００２】
従来から、映画，ニュース番組，ドラマ，スポーツ番組，音楽番組などのコンテンツが、テレビ放送やラジオ放送によって配信或いはビデオカセットテープ，ＤＶＤ（Ｄｉｇｉｔａｌ  Ｖｅｒｓａｔｉｌｅ  Ｄｉｓｃ），ＣＤ（Ｃｏｍｐａｃｔ  Ｄｉｓｃ）等の記録媒体で配布されている。近年は、配信する放送形態も増え、流通する記録媒体の種類や容量も増えてきており、大容量のコンテンツも視聴者に届くようになってきている。さらに、昨今の情報処理機器及びネットワーク技術の進展により、ネットワークを介した通信によっても視聴者にコンテンツが配信されている。
【０００３】
また、視聴者がコンテンツを視聴するために、様々なコンテンツ再生装置が流通している。そして、視聴者によるコンテンツの視聴方法は、コンテンツの種別やコンテンツ再生装置の種類などによって異なり、例えば、放送を受信して直接出力すること、放送を受信して巻戻し再生可能なよう録画再生すること、記録媒体を装着して記録媒体を読み取って再生すること、ネットワーク経由の配信元サーバから直接出力すること、及び、配信元サーバから一部又は全部ダウンロードして記憶し記憶場所から読み出して再生すること、などにより視聴される。
【０００４】
また、テレビ放送やラジオ放送で代表される放送コンテンツは、放送時間に視聴者の都合でコンテンツを視聴できないこともあり、これを補償するために予約録音機能や予約録画機能をもった装置がある。なお、予約録画に関しては、シリーズ番組の録画予約を容易に行うことを目的とした番組予約装置が提案されている（例えば、特許文献１を参照）。特許文献１に記載の番組予約装置は、録画予約された番組がシリーズ番組であるか否かを検出するシリーズ番組検出手段と、シリーズ番組検出手段によりシリーズ番組であることが検出された場合、そのシリーズ番組を前回録画した記録媒体と同一の記録媒体に対して予約された番組が録画されようとしているか否かを検出する記録媒体検出手段と、記録媒体検出手段により検出された結果を使用者に報知する報知手段とを備える。
【０００５】
一方で、このようなコンテンツ再生装置又はコンテンツ記録再生装置において、再生対象のコンテンツや記録対象のコンテンツ、或いは記録済みのコンテンツに対し、ユーザがサムネイル設定、チャプタ設定、カット点設定などの編集処理を行いたい場合がある。
【０００６】
なお、チャプタは、トラック，セクション，セグメント等と様々な呼び方が存在するが、意味としては基本的に同様である。チャプタに分けられたコンテンツに対し、ユーザは、チャプタ番号を指定、入力したり、チャプタが付与している場所のサムネイル画像を選択するなどして、途中からの映像を見たり、必要な場所だけを早送りしたり、繰り返し再生したりできる。このように、コンテンツのチャプタ分けは、ユーザの視聴を補助し、快適なものとする。また、サムネイル設定により、コンテンツ全体のサムネイルや、チャプタ毎のサムネイルが設定でき、再生するコンテンツをユーザが選択するときやコンテンツ内の再生開始を行うチャプタをユーザが選択するときに有用となる。また、カット点設定により、ユーザは不要な部分を省いて再生することができる。
【０００７】
このような編集作業は、ユーザの時間及び労力を浪費してしまう。このような浪費を低減するために、コンテンツを自動的にチャプタ分割すること、自動的に所定の時間の画像をサムネイルに設定すること、及び自動的に所定の期間でカット点を設定することなどが可能なコンテンツ編集装置も提案されている。このようなコンテンツ編集装置では、例えば音声多重の切り替わりといった映像信号や音声信号の特徴を利用したり、予め定めた時間を利用している。
【特許文献１】特開２００１−１９７４１１号公報
【発明の開示】
【発明が解決しようとする課題】
【０００８】
しかしながら、従来技術では基本的にそのコンテンツだけを編集することを前提としており、例えばシリーズもののドラマやニュースなど構成が同じ番組に対する編集を行う場合であっても同じ作業を何度も繰り返す必要があり、ユーザの時間や労力の浪費は避けられない。
【０００９】
また、従来技術でも複数のコンテンツを同時に編集する技術もあるが、蓄積された複数のコンテンツ全てに対して一律の編集処理を施すことしかできない。そして、一律の編集処理を様々なコンテンツに対して施した場合、コンテンツの中身によってはその編集処理が適さず、視聴したい場面がカットされたりしてしまう。
【００１０】
本発明は、上述のごとき実情に鑑みてなされたものであり、或るコンテンツに対して一度の編集操作を行うだけで、喩え将来入力予定のコンテンツであっても同一グループに属するコンテンツに対し同じ編集処理を実行することが可能なコンテンツ編集装置、その装置に組み込むためのプログラム、及び、そのプログラムを記録したコンピュータ読み取り可能な記録媒体、を提供することをその目的とする。
【課題を解決するための手段】
【００１１】
上述の課題を解決するために、本発明の第１の技術手段は、コンテンツを編集するコンテンツ編集手段を備えたコンテンツ編集装置において、前記コンテンツ編集手段での編集対象のコンテンツに対して、コンテンツグループを判別するグループ判別手段と、コンテンツを編集に用いるテンプレートを、前記コンテンツグループ毎に蓄積するテンプレート蓄積手段と、前記編集対象のコンテンツに、前記グループ判別手段で判別したコンテンツグループに対して前記テンプレート蓄積手段で蓄積されたテンプレートを反映させるテンプレート反映手段とを備えたことを特徴としたものである。
【００１２】
第２の技術手段は、第１の技術手段において、前記テンプレート蓄積手段に蓄積するためのテンプレートを生成するテンプレート生成手段を備えたことを特徴としたものである。
【００１３】
第３の技術手段は、第２の技術手段において、前記テンプレート生成手段は、前記コンテンツ編集手段で前記編集対象のコンテンツを編集するに際し、該編集の内容を表すテンプレートを、前記編集対象のコンテンツが属するコンテンツグループに対するテンプレートとして生成することを特徴としたものである。
【００１４】
第４の技術手段は、第２又は第３の技術手段において、前記テンプレート生成手段は、前記グループ判別手段での判別の結果、属するコンテンツグループが存在しない場合に、新たなコンテンツグループに対するテンプレートを生成する手段を有することを特徴としたものである。
【００１５】
第５の技術手段は、第１乃至第４のいずれかの技術手段において、前記テンプレートは、マークアップ言語で記述されたデータであることを特徴としたものである。
【００１６】
第６の技術手段は、第１乃至第５のいずれかの技術手段において、前記テンプレート反映手段は、前記編集対象のコンテンツに対し、コンテンツグループを指定するグループ指定手段を有し、該グループ指定手段で指定したコンテンツグループに対して前記反映を実行することを特徴としたものである。
【００１７】
第７の技術手段は、第１乃至第６のいずれかの技術手段において、前記コンテンツ編集手段での編集対象ともなるコンテンツを蓄積するコンテンツ蓄積手段と、該コンテンツ蓄積手段にコンテンツを記録するコンテンツ記録手段とを備えたことを特徴としたものである。
【００１８】
第８の技術手段は、第７の技術手段において、前記コンテンツ記録手段は、放送コンテンツを記録対象のコンテンツとして予約して、前記コンテンツ蓄積手段に記録する予約記録手段を有し、前記グループ判別手段は、コンテンツグループの判別を、予約録画情報に基づいて実行することを特徴としたものである。
【００１９】
第９の技術手段は、第７又は第８の技術手段において、前記テンプレート反映手段は、前記コンテンツ記録手段でのコンテンツの記録時に、前記テンプレート蓄積手段から、記録対象となるコンテンツのコンテンツグループに対するテンプレートを読み出し、該テンプレートを反映させたコンテンツを、前記コンテンツ蓄積手段に記録させる記録反映手段を有することを特徴としたものである。
【００２０】
第１０の技術手段は、第１乃至第９のいずれかの技術手段において、コンテンツを再生するコンテンツ再生手段を備え、該コンテンツ再生手段は、前記コンテンツ編集手段で編集する際に、前記編集対象のコンテンツの再生も行うことを特徴としたものである。
【００２１】
第１１の技術手段は、第１０の技術手段において、前記テンプレート反映手段は、前記コンテンツ再生手段でのコンテンツの再生時に、前記テンプレート蓄積手段から、再生対象となるコンテンツのコンテンツグループに対するテンプレートを読み出し、該テンプレートを反映させたコンテンツを再生させる再生反映手段を有することを特徴としたものである。
【００２２】
第１２の技術手段は、第１乃至第１１のいずれかの技術手段において、前記コンテンツ編集手段は、前記編集対象のコンテンツに対し、サムネイル設定、チャプタ設定、カット設定のうち、いずれか１又は複数の設定を行う手段を有することを特徴としたものである。
【００２３】
第１３の技術手段は、第１乃至第１２のいずれかの技術手段において、前記テンプレート蓄積手段に蓄積するテンプレートを外部から入力するテンプレート外部入力手段を備えたことを特徴としたものである。
【００２４】
第１４の技術手段は、第１乃至第１３のいずれかの技術手段において、前記コンテンツグループは、連続する一連のコンテンツでなるグループ、又はコンテンツ内が同じタイムスケジュールで構成されるコンテンツでなるグループであることを特徴としたものである。
【００２５】
第１５の技術手段は、第１乃至第１４のいずれかの技術手段におけるコンテンツ編集装置に組み込み、該コンテンツ編集装置の演算処理装置を、前記コンテンツ編集手段、前記グループ判別手段、及び前記テンプレート反映手段として機能させるためのプログラムである。
【００２６】
第１６の技術手段は、第２乃至第４のいずれかの技術手段におけるコンテンツ編集装置に組み込み、該コンテンツ編集装置の演算処理装置を、前記コンテンツ編集手段、前記グループ判別手段、及び前記テンプレート反映手段、及び前記テンプレート生成手段として機能させるためのプログラムである。
【００２７】
第１７の技術手段は、第１６の技術手段において、前記テンプレートは、マークアップ言語で記述されたデータであることを特徴としたものである。
【００２８】
第１８の技術手段は、第１５乃至第１７のいずれかの技術手段におけるプログラムを記録したコンピュータ読み取り可能な記録媒体である。
【発明の効果】
【００２９】
本発明によれば、或るコンテンツに対して一度の編集操作を行うだけで、喩え将来入力予定のコンテンツであっても同一グループに属するコンテンツに対し同じ編集処理を実行することが可能となる。
【発明を実施するための最良の形態】
【００３０】
本発明に係るコンテンツ編集装置は、入力したコンテンツを編集する装置であり、ハードディスクレコーダ，ＤＶＤレコーダ，ハードディスク内蔵ＤＶＤレコーダ，ビデオレコーダ，ＤＶＤプレーヤ，ＣＤプレーヤ，携帯型の音楽プレーヤ，携帯型の動画プレーヤ，電子ブック再生装置，携帯電話など、様々なコンテンツ再生機器或いはコンテンツ記録再生機器に好適に組み込むことができる。さらに、本発明に係るコンテンツ編集装置は、ＨＤＤ等の記録媒体駆動装置をもつ液晶テレビ等のテレビジョン受像機や、コンテンツ記録再生プログラム，ビデオカード（ビデオアダプタともいう），サウンドボード等のモジュールを内蔵し、表示装置（表示モニタ）及びスピーカを備えたパーソナルコンピュータ（以下、ＰＣと略す）などにも、好適に組み込むことができる。
【００３１】
また、本発明で取り扱うコンテンツとしては、デジタル放送されたコンテンツ、ネットワーク配信された静止画コンテンツの集まりや動画コンテンツ、デジタル記録されたコンテンツ等のデジタルコンテンツだけでなく、アナログ放送されたコンテンツやアナログ記録されたコンテンツ等のアナログコンテンツであっても、さらにはデジタル又はアナログの音声コンテンツであってもよい。
【００３２】
以下、本発明に係るコンテンツ編集装置をコンテンツ記録再生装置に組み込んだ場合について説明するが、コンテンツ再生装置やコンテンツ記録装置に組み込んだ場合など他の装置に組み込んだ場合でも同様である。
【００３３】
図１は、本発明の一実施形態に係るコンテンツ編集装置を備えたコンテンツ記録再生装置の一構成例を示す図で、図中、１はコンテンツ記録再生装置、１０はコンテンツ蓄積手段、１１はコンテンツ入力手段、１２はグループ判別手段、１３はテンプレート反映手段、１４はテンプレート蓄積手段、１５はコンテンツ編集手段、１６はコンテンツ再生手段、１７はコンテンツ記録手段、１８はテンプレート記録手段、１９はテンプレート生成手段、２０はテンプレート入力手段である。
【００３４】
本発明に係るコンテンツ編集装置を備えたコンテンツ記録再生装置１は、コンテンツを蓄積したコンテンツ蓄積手段１０、及びコンテンツを編集するコンテンツ編集手段１５を備える。また、コンテンツ蓄積手段１０で蓄積するコンテンツは、ユーザの操作によって追加することができ、そのためコンテンツ記録再生装置１には、コンテンツを入力するコンテンツ入力手段１１、及びコンテンツをコンテンツ蓄積手段１０に記録するコンテンツ記録手段１７を備える。
【００３５】
また、コンテンツ記録再生装置１は、表示モニタ，テレビ等の表示装置及び／又はスピーカ等の音声出力手段にて、コンテンツを再生するコンテンツ再生手段１６を備える。コンテンツ再生手段１６は、一般的に、コンテンツ編集手段１５によってユーザがコンテンツの編集指示操作を行う時などにも、対象となるコンテンツの再生を行う。換言すると、ユーザは、コンテンツ再生手段１６で再生中のコンテンツに対して、そのコンテンツを視聴しながらコンテンツ編集指示操作を行うことができ、コンテンツ編集手段１５はその操作を受け付けてその操作に応じた編集処理を実行する。
【００３６】
コンテンツ入力手段１１は、図示しない放送コンテンツを受信する放送受信手段やネットワーク配信されたコンテンツを受信するコンテンツ受信手段などの外部入力手段、さらにはコンテンツ蓄積手段１０からコンテンツを読み出す手段などで構成され、記録対象、再生対象、或いは編集対象として、適宜コンテンツを入力する。コンテンツ蓄積手段１０は、例えばＵＳＢメモリやＤＶＤ，ＣＤ等の可搬記録媒体やＨＤ等の固定式記録媒体でなり、コンテンツ記録手段１７は、例えば、それら記録媒体を駆動してコンテンツをコンテンツ蓄積手段１０に書き込む駆動装置でなる。
【００３７】
コンテンツ編集手段１５は、例えば、編集対象のコンテンツに対し、ユーザの編集指示を受け付け、その編集指示を入力するためのグラフィカルユーザインターフェース（ＧＵＩ）、及びそれを表示装置に表示するための演算処理装置等の制御部で構成される。コンテンツ編集手段１５で編集されたコンテンツは、コンテンツ蓄積手段１０に再度蓄積されるか、或いはその編集に基づき直接再生される。また、コンテンツ編集手段１５は、編集対象のコンテンツに対し、サムネイル設定、チャプタ設定、カット設定のうち、いずれか１又は複数の設定を行う手段を有することが好ましい。
【００３８】
本発明に係るコンテンツ編集装置は、その主たる特徴として、グループ判別手段１２、テンプレート蓄積手段１４、及びテンプレート反映手段１３を備える。
【００３９】
グループ判別手段１２は、コンテンツ編集手段１５での編集対象のコンテンツに対して、例えば録画予約情報やユーザ指定情報などの情報に基づいて、コンテンツグループを判別する。コンテンツグループとは、例えば、シリーズもののドラマ番組など、連続する一連のコンテンツでなるグループや、同じ時間帯に放送されるニュース番組やバラエティ番組など、コンテンツ内が同じタイムスケジュールで構成されるコンテンツでなるグループが挙げられる。そして、これらのグループに対しては本発明に係る編集処理が特に効果的となる。特に、上述したサムネイル設定、チャプタ設定、カット設定は、いずれもシリーズ番組や同じタイムスケジュールの番組などのコンテンツに対して同じように適用できる設定である。
【００４０】
テンプレート蓄積手段１４は、コンテンツを編集に用いるテンプレートを、コンテンツグループ毎に蓄積する手段であり、コンテンツ蓄積手段１０と蓄積対象が異なるだけである。テンプレートには、一度実行した編集操作が、同じグループのコンテンツに対しても実行できるように記述されていればよい。テンプレートの好適な例としては、マークアップ言語で記述されたデータを用いるとよい。
【００４１】
テンプレート反映手段１３は、編集対象のコンテンツに、テンプレート蓄積手段１４で蓄積されたテンプレートを反映させる。ここで、テンプレート反映手段１３は、テンプレートとして、グループ判別手段１２で判別したコンテンツグループに対するものを反映させる。
【００４２】
ここで、反映とは、そのテンプレートに記述された編集内容を、記録時に組み込ませる編集を実行することを指す。そのため、本発明に係るコンテンツ編集装置は、コンテンツ記録手段１７を備えた形態において、テンプレート反映手段１３が次の記録反映手段を有する。なお、この形態は、後述する予約記録機能を備えた形態にも当然適用できる。この記録反映手段は、コンテンツ記録手段１７でのコンテンツの記録時に、テンプレート蓄積手段１４から、記録対象となるコンテンツのコンテンツグループに対するテンプレートを読み出して、そのテンプレートを反映させたコンテンツを、コンテンツ蓄積手段１０に記録させる。ここでの記録は上書き記録であることが好ましいが、別のファイル名での記録であってもよく、その場合、記録されたコンテンツを再生する場合には別のファイル名で記録した方を優先して再生するようにしておくことが好ましい。
【００４３】
本発明の編集処理は、コンテンツグループが指定されていないコンテンツに対しても適用可能とすることが好ましい。そのため、本発明に係るコンテンツ編集装置は、テンプレート反映手段１３が次のグループ指定手段を備えるとよい。このグループ指定手段は、コンテンツ蓄積手段１０に蓄積されたコンテンツをはじめ編集対象のコンテンツに対し、コンテンツグループを指定する手段とし、テンプレート反映手段１３は、このグループ指定手段で指定したコンテンツグループに対して反映を実行する。ここでの反映は、コンテンツ記録手段１７に、このグループ指定手段でコンテンツグループの指定を行ったコンテンツを、コンテンツ蓄積手段１０に再度記録する手段を有するようにしておくことで実行できる。また、ここでの再度の記録はコンテンツ記録手段１７で実行せず、コンテンツグループに関する情報をコンテンツ情報として別途管理しておくようにしてもよい。
【００４４】
さらに、テンプレート反映手段１３における反映とは、そのテンプレートに記述された編集内容を、再生時に組み込ませる編集を実行することも指す。そのため、本発明に係るコンテンツ編集装置は、コンテンツ再生手段１６を備えた形態において、テンプレート反映手段１３が次の再生反映手段を有する。この再生反映手段は、コンテンツ再生手段１６でのコンテンツの再生時に、テンプレート蓄積手段１４から、再生対象となるコンテンツのコンテンツグループに対するテンプレートを読み出し、そのテンプレートを反映させたコンテンツを再生させる。
【００４５】
また、テンプレートは予めテンプレート蓄積手段１４に格納されたものを使用してもよいが生成可能とすることが好ましい。そのため、本発明の他の実施形態に係るコンテンツ編集装置は、テンプレート蓄積手段１４に蓄積するためのテンプレートを生成するテンプレート生成手段１９を備えるとよい。
【００４６】
さらに、このテンプレート生成手段１９は、コンテンツ編集手段１５で編集対象のコンテンツを編集するに際し、その編集の内容を表すテンプレートを、編集対象のコンテンツが属するコンテンツグループに対するテンプレートとして生成することが好ましい。すなわち、ユーザが或るコンテンツに対して編集操作を実行した場合、そのコンテンツと同じグループに属するコンテンツに対しても有用なテンプレートを生成するとよい。
【００４７】
また、本発明の他の実施形態として、テンプレート生成手段１９は、グループ判別手段１２での判別の結果、属するコンテンツグループが存在しない場合に、新たなコンテンツグループとして編集対象のコンテンツを登録し、登録したコンテンツのコンテンツグループに対するテンプレートを生成するようにしてもよい。なお、ここでの登録は、編集対象のコンテンツをコンテンツ記録手段１７によってコンテンツ蓄積手段１０に再記録することで行ってもよいし、コンテンツグループに関する情報をコンテンツ情報として別途管理しておいてもよい。
【００４８】
また、テンプレートは予めテンプレート蓄積手段１４に格納されたものや生成したものだけでなく、外部から読み込み可能とすることが好ましい。このために、本発明の他の実施形態に係るコンテンツ編集装置は、テンプレート蓄積手段１４に蓄積するテンプレートを外部から入力するテンプレート外部入力手段を備えるとよい。このテンプレート外部入力手段は、或る放送局が放送コンテンツと同時にネットワーク経由でホームページなどに提供したテンプレートなどを受け取るためのネットワークボードや外部入力端子など、或いは、放送コンテンツと同時に放送波として添付されてくるテンプレートなどを受信するための受信手段（及び放送コンテンツとの分離手段）などからなり、テンプレート入力手段２０に含まれる。
【００４９】
また、本発明に係るコンテンツ編集装置は、コンテンツ記録手段１７を備えた形態において予約記録機能を備え、将来予約によって記録されるコンテンツに対してもテンプレートの反映を可能とすることが好ましい。このため、コンテンツ記録手段１７は、放送コンテンツを記録対象のコンテンツとして予約して、コンテンツ蓄積手段１０に記録する予約記録手段を有するとよい。この予約記録手段では、例えば、ユーザが番組を視聴する際、テレビモニタ上に、蓄積されている番組の番組情報や、現在放送中の番組及び将来放送予定の番組の番組情報からなる電子番組表を表示してユーザに将来放送予定の番組の中から予約録画を行う番組を選択させるなどすればよい。そして、グループ判別手段１２では、コンテンツグループの判別を、予約録画情報に基づいて実行するようにしておくとよい。例えば、毎週録画の予約がなされていた場合、その情報に基づき同一グループのコンテンツであるとの判別が可能となる。
【００５０】
図２は、図１のコンテンツ記録再生装置における表示画面の一例を示す図で、図中、２１は表示画面、２２は表示映像、２３ａは編集表示、２３ｂはチャプタ設定表示、２３ｃはテンプレート設定表示、２４は次の日の表示映像、２５はチャプタ表示である。
【００５１】
図２を参照して、概略的に本発明に係る編集処理の一例として、ユーザが或るニュース中の天気予報のところにチャプタを打つことを例に挙げる。まず、７月７日のニュースを録画中若しくは録画したものを再生中（表示映像２２を受信／再生中）に、或るコーナー（ここでは天気予報のコーナーで例示）の開始と共に、ユーザが編集操作を実行して編集表示２３ａを表示画面２１上にＯＳＤ表示して、編集処理のうちチャプタ設定を選択してチャプタ設定表示２３ｂをＯＳＤ表示してそれを選択することで、チャプタ分割を実行する。続いて、それをテンプレート保存する場合には、チャプタ分割操作をトリガとして表示されるテンプレート設定表示２３ｃをユーザが選択することで、そのチャプタ分割がテンプレートとして蓄積される。
【００５２】
そして、このニュースをユーザが予約録画していた場合、次の日（７月８日）の同一番組のニュースを録画中（表示映像２４を受信録画中）に、そのテンプレートが読み出され、同じ天気予報の位置でチャプタが自動的に分割され、「ｃｈａｐｔｅｒ１」といったＯＳＤ表示２５がなされる。このように、７月７日で編集した内容が、次の日以降の同一グループのコンテンツに対しても同じように自動的に反映され、録画される。ここでは、編集及びその内容の反映対象として、その一例のみ示したが、或るシーンの抜き出しやサムネイルによるタイトル画面の表示など、様々な場面で本発明は効果的にユーザの編集操作を省略できる。
【００５３】
このように、本発明によれば、或るコンテンツに対して一度の編集操作を行うだけで、喩え将来入力予定のコンテンツであっても同一グループに属するコンテンツに対し同じ編集処理を実行することが可能となる。例えば、繰り返し録画などで同じパターンの番組を録画したライブラリ全体（後日録画されるライブラリも含む）に対して効果のあるテンプレートを作成することにより、編集効率を飛躍的に向上させることができる。特に、シリーズ録画した番組に対してそれをコンテンツグループとして扱い、そのグループに対して指定されたテンプレートを反映させることにより、一回の作業で、将来録画されるコンテンツも含めて同じ処理を行うことができる。
【００５４】
図３は、図１のコンテンツ記録再生装置における編集・記録処理の一例を説明するためのフロー図である。編集・記録処理においては、まず、編集・記録対象のコンテンツＣｅを、コンテンツ蓄積手段１０や外部などからコンテンツ入力手段１１で入力する（ステップＳ１）。次に、グループ判別手段１２がコンテンツＣｅに対し、所属グループを判別し（ステップＳ２）、所属グループが有ればステップＳ４へ、所属グループが無ければステップＳ１２へ進む（ステップＳ３）。
【００５５】
ステップＳ４では、テンプレート反映手段１３がテンプレート蓄積手段１４から所属グループのテンプレートを読み出す。そして、Ｃｅに対してコンテンツ編集手段１５での編集操作がなされているのか、なされていないのかを判断する（ステップＳ５）。ステップＳ５でＣｅが編集対象でなければＣｅは単なる記録対象ということになり、そのままステップＳ１１へ進み、コンテンツ記録手段１７がＣｅをコンテンツ蓄積手段１０に記録する。
【００５６】
一方、ステップＳ５の判定により、Ｃｅが編集対象であった場合、コンテンツ編集手段１５がユーザから受け付けたＣｅに対する編集操作を実行して編集処理を行う（ステップＳ６）。ステップＳ６に続き、グループ判別手段１２が、そこでなされた編集の内容をグループ編集として取り扱うか否かを判定する（ステップＳ７）。ステップＳ７の判定結果がグループ編集として取り扱わないものであった場合、すなわち単独編集として取り扱う場合には、ステップＳ１１へ進み、コンテンツ記録手段１７が編集後のＣｅをコンテンツ蓄積手段１０に記録する。
【００５７】
ステップＳ７の判定結果がグループ編集として取り扱うものであった場合、テンプレート反映手段１３が、Ｃｅの編集内容を、ステップＳ４で読み出したテンプレートに記述する（ステップＳ８）。なお、ステップＳ４はステップＳ８より前に実行されていればよく、例えば直前でもよい。ステップＳ８で編集内容が記述されたテンプレートを、テンプレート記録手段がテンプレート蓄積手段１４に記録する（ステップＳ９）。
【００５８】
ステップＳ９に続いて、同一グループ内のコンテンツをコンテンツ蓄積手段１０から抽出し、そのテンプレートを反映し、保存する（ステップＳ１０）。ステップＳ１０は勿論、実行しなくてもよいし、また反映したものを保存しなくてもよく、図４で後述するようにコンテンツを再生する際にテンプレートの反映を行うように、或いはユーザ選択で、反映しないようにしておけばよい。
【００５９】
ステップＳ２での判定により、所属グループが無かった場合、グループを付与するか否かをデフォルト設定やユーザ設定、或いはユーザに選択させることで、判定する（ステップＳ１２）。ステップＳ１２でグループ付与を行う場合には、テンプレート生成手段１９におけるグループ指定手段で、ユーザ指定により或いはデフォルト設定により、既存のグループ又は新たなグループの中からグループを指定して付与する（ステップＳ１３）。そして、ステップＳ１３で指定されたグループが新たなグループであるか否かを判定する（ステップＳ１４）。
【００６０】
ステップＳ１４で既存のグループに指定するものであると判定された場合には、ステップＳ４へ進み、ステップＳ５〜Ｓ１１の処理を実行する。一方、ステップＳ１４で新たなグループとして処理がなされると判定された場合には、テンプレート生成手段１９が新たなコンテンツグループに対するテンプレートを生成する（ステップＳ１５）。ステップＳ１５に続き、コンテンツ編集手段１５がユーザ操作に基づきＣｅを編集し（ステップＳ１６）、テンプレート記録手段１８がその編集内容をステップＳ１５で生成したテンプレートに記述し（ステップＳ１７）、新規に指定した所属グループのテンプレートとしてテンプレート蓄積手段１４に保存する（ステップＳ１８）。ステップＳ１８に続き、ステップＳ１０，Ｓ１１の処理が実行される。なお、ステップＳ１６では、新規テンプレートを生成することがＣｅを編集することを前提になされるものとして、Ｃｅの編集の如何を判定していない。
【００６１】
また、ステップＳ１２でグループの付与を行わないと判定された場合、Ｃｅに対する編集を実行するか否かを判定し（ステップＳ１９）、実行しない場合、そのままＣｅを記録する（ステップＳ１１）。ステップＳ１９で編集を実行する場合には、コンテンツ編集手段１５がユーザ操作に基づきＣｅを編集し（ステップＳ２０）、編集後のＣｅを記録する（ステップＳ１１）。
【００６２】
図４は、図１のコンテンツ記録再生装置における再生処理の一例を説明するためのフロー図である。再生処理においては、まず、再生対象のコンテンツＣｐをコンテンツ入力手段１１が外部入力又はコンテンツ蓄積手段１１から入力する（ステップＳ２１）。次に、グループ判別手段１２がコンテンツＣｐに対し、所属グループを判別し（ステップＳ２２）、所属グループが有ればステップＳ２４へ、所属グループが無ければステップＳ２６へ進む（ステップＳ２３）。ステップＳ２６ではＣｐを通常通りそのまま再生する。
【００６３】
一方、ステップＳ２４では、テンプレート反映手段１３がテンプレート蓄積手段１４から所属グループのテンプレートを読み出す。そして、Ｃｐに対して読み出したテンプレートに記述された編集内容を組み込ませて反映させた状態で再生を実行する（ステップＳ２５）。
【００６４】
図５は、図１のコンテンツ記録再生装置のより具体的な構成例を示す図、図６は、図５のコンテンツ記録再生装置において取り扱うデータのデータ構造例を示す図、図７は、図６のデータ構造におけるシリーズテンプレートの記述例を示す図、図８は、図５乃至図７で例示したコンテンツ記録再生装置において実行されるサムネイル表示処理の一例を説明するためのフロー図、図９は、図５乃至図７で例示したコンテンツ記録再生装置において実行されるチャプタ設定処理の一例を説明するためのフロー図である。
【００６５】
図５乃至図７において、３はＨＤＤレコーダ等のコンテンツ記録再生装置、３１はチューナや入力端子等でなるコンテンツ外部入力部、３２はイーサネット（登録商標）ボード等でなるテンプレート外部入力部、３３はリモートコントローラ等でなりユーザ操作を入力するユーザ入力部、３４はコンテンツ記録再生部、３５はモニタ等の表示部、３６はスピーカ等の音声出力部、３７はＨＤＤ等でなるコンテンツデータ蓄積部、３８はＨＤＤ等でなるテンプレートデータ蓄積部、４０はデータ構造、４１はコンテンツ情報、４２はコンテンツ、４３はシリーズＩＤ、４４はシリーズテンプレートである。
【００６６】
図５で例示するように、例えばＨＤＤレコーダ等のコンテンツ記録再生装置３は、コンテンツ入力手段１１の一部としてのコンテンツ外部入力部３１、テンプレート入力手段２０におけるテンプレート外部入力手段としてのテンプレート外部入力部３２、コンテンツ編集手段１５の一部としてユーザから編集操作を受け付けたりその他の操作を受け付けるユーザ入力部３３、コンテンツ記録再生部３４、コンテンツ再生手段１６の一部である表示部３５及び音声出力部３６、コンテンツ蓄積手段１０としてのコンテンツデータ蓄積部３７、及び、テンプレート蓄積手段１４としてのテンプレートデータ蓄積部３８でなる。
【００６７】
ここで、コンテンツ記録再生部３４は、図１におけるグループ判別手段１２、テンプレート反映手段１３、コンテンツ記録手段１７、テンプレート生成手段１９、及びテンプレート記録手段１８と、コンテンツ編集手段１５の一部（受け付けた操作を実行する部分）と、コンテンツ再生手段１６の一部（表示部３５や音声出力部３６に対するコンテンツの再生処理を実行する部位）とを有する。また、表示部３５及び音声出力部３６が、テレビで構成される場合には、テレビで受信したコンテンツもコンテンツ外部入力部３１における外部入力として取り扱うことができる。
【００６８】
また、コンテンツデータ蓄積部３７とテンプレートデータ蓄積部３８とは別々のＨＤＤで構成してもよいし、物理的に同じＨＤＤで構成してもよい。さらに、コンテンツデータ蓄積部３７で蓄積されている図６で例示したデータ構造４０のうちコンテンツ４２、コンテンツ４２の情報を記したコンテンツ情報４１、コンテンツ４２のシリーズを示すシリーズＩＤ４３は、コンテンツデータ蓄積部３７で蓄積してもよいし、またシリーズＩＤ４３はコンテンツ情報４１に組み込んでもよい。
【００６９】
図５乃至図９で例示するコンテンツ記録再生装置３は、コンテンツをシリーズで管理できる装置で、シリーズに関連付けられたテンプレートを持つものとする。シリーズテンプレート４４にはサムネイル取得時間、ｉｎ−ｏｕｔ点の時間、チャプタ情報を含むことができるものとする。そして、このシリーズテンプレート４４は、将来録画されるコンテンツにも反映されるものとする。また、反映時には、コンテンツ固有の情報（元々のコンテンツ４２に対して存在するコンテンツ情報４１）とテンプレート情報（シリーズＩＤ４３に対するシリーズテンプレート４４）とはマージされるものとして、説明を行う。
【００７０】
そして、録画時にシリーズ録画（繰り返し録画）をすると、録画された番組が１コンテンツグループとして扱われる。コンテンツグループ中の１コンテンツ中で、サムネイルにしたいシーンをユーザが指定し、グループテンプレート（シリーズテンプレート４４）に指定すると、そのグループに属する全コンテンツでその時間の画像がサムネイルとなる。チャプタやカット点（ｉｎ／ｏｕｔ点）も同様である。
【００７１】
このような処理を可能とするためのデータ構造としては、図６で例示したものが挙げられる。データ構造４０は、或るコンテンツＩに対して、コンテンツ情報４１がコンテンツＩｎｆｏ  Ｉとして、シリーズＩＤ４３がシリーズＩＤ  Ｉとして、対応付けられており、さらにそのシリーズＩＤ  Ｉに対するテンプレート４４として、シリーズテンプレートＩが対応付けられている。なお、図６では同じシリーズＩＤ４３をもったコンテンツを図示していないが、本発明では、同じシリーズＩＤ４３をもつコンテンツに対し、同じシリーズテンプレートを反映することとなる。また、コンテンツ情報４１には、サムネイル情報、チャプタ情報、及びカット点情報のような、コンテンツ内の小区画の内容や時間帯の情報、さらには、製作者、出演者、著作権情報、ジャンル等の情報などが適宜含まれる。
【００７２】
シリーズテンプレート４４としては、図７で例示したようにＸＭＬ形式で記述すればよい。この例では、サムネイル設定として、サムネイル画像を取得する時間が開始から１５秒後に、チャプタ設定された時間が開始から２９秒後、１分３９秒後、１１分１６秒後、２０分２０秒後に、それぞれ設定されている。さらに、この例では、カット点として開始から５５秒〜１分３３秒後の間、カットされることが設定されており、すなわちインタイムが開始から５５秒後で、アウトタイムが１分３３秒後と設定されている。
【００７３】
図８を参照して、コンテンツに対するサムネイル表示処理の一例を、上述のごとくコンテンツ固有の情報（元々のコンテンツ４２に対して存在するコンテンツ情報４１）とテンプレート情報（シリーズＩＤ４３に対するシリーズテンプレート４４）とが反映時にマージされるものとして説明する。なお、マージを行わず、コンテンツ情報４１又はシリーズテンプレート４４のいずれかを優先的に生かすような処理も可能である。
【００７４】
まず、コンテンツ情報４１にサムネイル属性が含まれるか否かを判定する（ステップＳ３１）。ステップＳ３１でサムネイル属性がコンテンツ情報４１に含まれる場合には、サムネイル取得時間はコンテンツ情報４１より取得し（ステップＳ３８）、その時間で取得したサムネイル画像を表示する（ステップＳ３６）。
【００７５】
ステップＳ３１でサムネイル属性がコンテンツ情報４１に含まれなかった場合には、コンテンツ４２がシリーズＩＤ属性をもつかを、シリーズＩＤ４３を参照してみることで判別する（ステップＳ３２）。ステップＳ３２でＮＯの場合、サムネイル取得時間はデフォルトやユーザ設定による固定値とし、その固定値を取得し（ステップＳ３７）、その時間で取得したサムネイル画像を表示する（ステップＳ３６）。図６の例では、コンテンツＩＩＩはシリーズＩＤが付与されていないため、ステップＳ３２の判定はＮＯとなる。
【００７６】
ステップＳ３２でＹＥＳの場合、シリーズＩＤに関連付けられたシリーズテンプレート４４が存在するか否かを判定し（ステップＳ３３）、存在しない場合には、ステップＳ３７，Ｓ３６の処理を実行する。図６の例では、コンテンツＩＩはシリーズＩＤが付与されているがシリーズテンプレート４４は存在しないため、ステップＳ３３の判定はＮＯとなる。
【００７７】
ステップＳ３３でシリーズテンプレート４４が存在した場合には、そのシリーズテンプレート４４にサムネイル属性が含まれるか否かを判定し（ステップＳ３４）、存在しない場合には、ステップＳ３７，Ｓ３６の処理を実行する。ステップＳ３４でシリーズテンプレートにサムネイル属性が存在した場合、サムネイル取得時間はそのシリーズテンプレート４４より取得し（ステップＳ３５）、その時間で取得したサムネイル画像を表示する（ステップＳ３６）。
【００７８】
図９を参照して、コンテンツに対するチャプタ設定処理の一例を、反映時に上述のごときマージがなされるものとして説明する。チャプタ設定処理については簡潔に説明するが、サムネイル表示処理との違いは、チャプタが通常複数設定されるという点にある。なお、各チャプタに対してサムネイル表示処理を実行してもよいことは言及するまでもない。また、サムネイル表示処理と同様に、マージを行わず、コンテンツ情報４１又はシリーズテンプレート４４のいずれかを優先的に生かすような処理も可能である。なお、図９ではコンテンツ情報４１にチャプタ属性が含まれるものとして説明するが、存在しない場合もある。
【００７９】
まず、コンテンツ４２がシリーズＩＤ属性をもつかを、シリーズＩＤ４３を参照してみることで判別する（ステップＳ４１）。ステップＳ４１でＮＯの場合、コンテンツ情報のチャプタ情報を使用する（ステップＳ４５）。
【００８０】
ステップＳ４１でＹＥＳの場合、シリーズＩＤに関連付けられたシリーズテンプレート４４が存在するか否かを判定し（ステップＳ４２）、存在しない場合には、ステップＳ４５の処理を実行する。ステップＳ４２でシリーズテンプレート４４が存在した場合には、そのシリーズテンプレート４４にチャプタ属性が含まれるか否かを判定し（ステップＳ４３）、存在しない場合には、ステップＳ４５の処理を実行する。
【００８１】
ステップＳ４３でシリーズテンプレートにチャプタ属性が存在した場合、コンテンツ情報４１のチャプタ属性の情報とシリーズテンプレート４４のチャプタ属性の情報とをマージする（ステップＳ４４）。
【００８２】
以上、図１乃至図９を参照しながら、本発明のコンテンツ編集装置やそれを含む再生装置や記録再生装置について各実施形態を挙げて説明してきたが、本発明は、上述した各実施形態におけるコンテンツ編集装置に組み込み、コンテンツ編集装置の演算処理装置（ＣＰＵ等）を、コンテンツ編集手段、グループ判別手段、及びテンプレート反映手段（及びテンプレート生成手段）として機能させるための編集プログラムとしても、或いは、その編集プログラムを記録したコンピュータで読み取り可能な記録媒体としての形態も採用できる。
【００８３】
実際、本発明のコンテンツ編集装置は、例えば、ＣＰＵ、ＲＡＭ、ＲＯＭ、ＨＤＤ、入力部、出力部などがバス接続されて構成できる。そして、ＲＯＭやＨＤＤに上述の編集プログラムを実行可能に格納しておき、ＣＰＵがＲＡＭ上に読み出すことによって実行される。そこで取り扱われる情報は、その処理時に一時的にＲＡＭに蓄積され、その後、ＨＤＤなどの蓄積手段に格納され、必要に応じて、ＣＰＵによって読み出し、修正・書き込みが行われる。また、処理の途中経過や再生結果としての再生映像等は、ＣＲＴ，ＬＣＤ，ＰＤＰ，ＥＬＤ等の表示機器やスピーカに対し、出力部が出力する。この出力によってユーザに提示されることとなり、必要な場合には、キーボード，マウス（ポインティングデバイス）等の入力部からユーザが処理に必要なユーザ操作等のパラメータや応答を入力すればよい。この編集プログラムは、ユーザが使用する際に容易となるように、表示機器用のＧＵＩを備えるようにするとよい。
【００８４】
本発明によるコンテンツ編集の機能を実現するための編集プログラムやデータを記憶した記録媒体の実施形態を説明する。ここでの記録媒体としては、具体的には、各種のＣＤ，ＭＯ（光磁気ディスク），ＤＶＤ，ＦＤ，フラッシュメモリや、その他各種ＲＯＭやＲＡＭ等が想定でき、上述した編集プログラムを、これら記録媒体に記録して流通させることにより、当機能の実現を容易にする。そして、コンテンツ編集装置に、上述のごとくの記録媒体を装着して編集プログラムを読み出すか、若しくはコンテンツ編集装置が備えている記録媒体に編集プログラムを記憶させておき、必要に応じてこれを読み出すことにより、本発明に係わるコンテンツ編集の機能を実行することができる。また、本発明に係るコンテンツ編集装置を汎用コンピュータで構成する場合には、汎用コンピュータに、上述のごとくの記録媒体を装着して汎用コンピュータにより編集プログラムを読み出すか、若しくは汎用コンピュータが備えている記録媒体に編集プログラムを記憶させておき、必要に応じてこれを読み出すことにより、本発明に係わるコンテンツ編集の機能を実行することもできる。
【図面の簡単な説明】
【００８５】
【図１】本発明の一実施形態に係るコンテンツ編集装置を備えたコンテンツ記録再生装置の一構成例を示す図である。
【図２】図１のコンテンツ記録再生装置における表示画面の一例を示す図である。
【図３】図１のコンテンツ記録再生装置における編集・記録処理の一例を説明するためのフロー図である。
【図４】図１のコンテンツ記録再生装置における再生処理の一例を説明するためのフロー図である。
【図５】図１のコンテンツ記録再生装置のより具体的な構成例を示す図である。
【図６】図５のコンテンツ記録再生装置において取り扱うデータのデータ構造例を示す図である。
【図７】図６のデータ構造におけるシリーズテンプレートの記述例を示す図である。
【図８】図５乃至図７で例示したコンテンツ記録再生装置において実行されるサムネイル表示処理の一例を説明するためのフロー図である。
【図９】図５乃至図７で例示したコンテンツ記録再生装置において実行されるチャプタ設定処理の一例を説明するためのフロー図である。
【符号の説明】
【００８６】
１…コンテンツ記録再生装置、３…コンテンツ記録再生装置（ＨＤＤレコーダ等）、１０…コンテンツ蓄積手段、１１…コンテンツ入力手段、１２…グループ判別手段、１３…テンプレート反映手段、１４…テンプレート蓄積手段、１５…コンテンツ編集手段、１６…コンテンツ再生手段、１７…コンテンツ記録手段、１８…テンプレート記録手段、１９…テンプレート生成手段、２０…テンプレート入力手段、２１…表示画面、２２…表示映像、２３ａ…編集表示、２３ｂ…チャプタ設定表示、２３ｃ…テンプレート設定表示、２４…次の日の表示映像、２５…チャプタ表示、３１…コンテンツ外部入力部、３２…テンプレート外部入力部、３３…ユーザ入力部、３４…コンテンツ記録再生部、３５…表示部、３６…音声出力部、３７…コンテンツデータ蓄積部、３８…テンプレートデータ蓄積部、４０…データ構造、４１…コンテンツ情報、４２…コンテンツ、４３…シリーズＩＤ、４４…シリーズテンプレート。
【図１】
2007149235.tif 000003
【図２】
2007149235.tif 000004
【図３】
2007149235.tif 000005
【図４】
2007149235.tif 000006
【図５】
2007149235.tif 000007
【図６】
2007149235.tif 000008
【図７】
2007149235.tif 000009
【図８】
2007149235.tif 000010
【図９】
2007149235.tif 000011